(57)【要約】【課題】割印付きの文書を大量に発行する場合でも対処できるように、割印のパターン数を飛躍的に向上させることができるようにするとともに、割印した文書と同じものを容易に再発行することができる電子割印システムおよび方法を提供することを目的とする。【解決手段】印影の傾き、印影の濃淡、印影のドット毎の変色、および第１の文書と第２の文書に貼り付ける印影の分割位置について、乱数を用いて適宜変更して印影の画像を得る。これにより、数多くの一意な印影パターンを確保できる。印影を生成したときに使用したパラメタを保存し、新たに印影を生成するとき同じものが生成されないようにする。また、紛失しても再発行し、印影を確認できるようにする。【選択図】　図１０
2004032138.tif 000002
【特許請求の範囲】
【請求項１】
電子割印データを自動生成して電子的な文書の所定位置に貼り付ける電子割印システムであって、
元になる印影の画像データを記憶する手段と、
印影の画像データに対し、所定のパラメタに基づいて角度回転処理を施す角度回転加工処理手段と、
印影の画像データに対し、所定のパラメタに基づいて濃淡加工処理を施す濃淡加工処理手段と、
印影の画像データに対し、所定のドット毎に、所定のパラメタに基づいて変色加工処理を施す変色加工処理手段と、
印影の画像データに対し、所定のパラメタに基づいて第１の文書に貼り付ける部分と第２の文書に貼り付ける部分とに２分割する位置を決定する２分割処理手段と、
前記角度回転処理、濃淡加工処理、および変色加工処理を施し、前記２分割処理で決定した位置で２分割することにより生成した印影の画像データを、それぞれ、第１の文書の所定位置と第２の文書の所定位置に貼り付ける手段と
を備えることを特徴とする電子割印システム。
【請求項２】
請求項１に記載の電子割印システムにおいて、
前記変色加工処理手段は、乱数に基づいて決定したランダムな位置のドットに対して、乱数に基づいて決定した変更値を用いて、当該ドットのＲＧＢ成分のうちの少なくとも１つの成分の濃度を変更するものであることを特徴とする電子割印システム。
【請求項３】
請求項１または２に記載の電子割印システムにおいて、
前記角度回転処理、濃淡加工処理、変色加工処理、および２分割処理のそれぞれの処理で使用するパラメタのうちの少なくとも１つは、所定範囲内で発生させた乱数値を用いることを特徴とする電子割印システム。
【請求項４】
請求項１から３の何れか１つに記載の電子割印システムにおいて、
割印として使用した印影の画像データを生成するのに使用した前記パラメタを記憶する記憶手段と、
新たに印影の画像データを生成するとき、前記記憶手段に記憶してあるパラメタと今回の生成に使用するパラメタとを比較し、既に同じパラメタで印影の画像データを生成しているか否かをチェックする突合手段と
をさらに備えることを特徴とする電子割印システム。
【請求項５】
請求項１から３の何れか１つに記載の電子割印システムにおいて、
割印として使用した印影の画像データを生成するのに使用した前記パラメタを記憶する記憶手段と、
前記記憶手段に記憶してあるパラメタを用いて再度同じ印影の画像データを生成し、生成した画像データを用いて前記文書を再発行する手段と
をさらに備えることを特徴とする電子割印システム。
【請求項６】
電子割印データを自動生成して電子的な文書の所定位置に貼り付ける処理を行なう電子割印プログラムであって、
印影の画像データに対し、所定のパラメタに基づいて角度回転処理を施す角度回転加工処理ステップと、
印影の画像データに対し、所定のパラメタに基づいて濃淡加工処理を施す濃淡加工処理ステップと、
印影の画像データに対し、所定のドット毎に、所定のパラメタに基づいて変色加工処理を施す変色加工処理ステップと、
印影の画像データに対し、所定のパラメタに基づいて第１の文書に貼り付ける部分と第２の文書に貼り付ける部分とに２分割する位置を決定する２分割処理ステップと、
前記角度回転処理、濃淡加工処理、および変色加工処理を施し、前記２分割処理で決定した位置で２分割することにより生成した印影の画像データを、それぞれ、第１の文書の所定位置と第２の文書の所定位置に貼り付けるステップと
を備えることを特徴とする電子割印プログラム。
【発明の詳細な説明】
【０００１】
【発明の属する技術分野】
本発明は、大量の割印を押印する事務作業を、割印の性質を逸することなく、大幅に負荷軽減することができる電子割印システムおよびプログラムに関する。
【０００２】
【従来の技術】
従来より、関連する書類であることを示すために割印を押印することは、よく行なわれていることである。割印は、例えば、年間数千件、数万件発行する証明書等で文書保存期間が数十年にわたるときでも、全てのパターンで重複することなく、半永続的に一意性を確保することができるようにする必要がある。
【０００３】
割印を電子的に押印する従来の技術として、特開２０００−０３６９０５に記載のシステムが知られている。特開２０００−０３６９０５に記載の「電子印章システム」は、指定可能な角度で傾きをつけた電子押印に関する発明である。
【０００４】
また、印刷方式として、例えば、特開平７−３０７４２号公報には、１つの電子印章パターンを乱数を用いて垂直方向または水平方向に２分割し、正本および副本の各文書上の任意の位置にそれぞれを印刷する割印処理プリンタによる方式が開示されている。また、特開平９−１７４９４９号公報には、正本および副本を作成する際に、同一紙面上に正本と副本を印刷し、それぞれを切断する線上に印章を印刷した後、文書を切断する印刷方式が開示されている。
【０００５】
【発明が解決しようとする課題】
大量の発行物に対する割印押印に対応するため、一意性のあるパターン数を飛躍的に向上させる必要がある。例えば、東京都の年間の教員免許の発行件数は約５万件であり、文書の保存期間は、生涯効力を発揮する資格などを想定すると、５０年程度と考えられる。従って、必要パターン数は２，５００，０００通り必要である。このように大量の書類を発行する場合でも、十分に区別できるだけの数の印影パターンを用意することが必要である。
【０００６】
さらに、文書の有効期間や保存期間が長期間にわたる場合などは、再発行できるようにする必要がある。その場合でも、容易に以前に発行したものと同じ割印を押印した文書が再発行できるようにする必要がある。
【０００７】
本発明は、割印付きの文書を大量に発行する場合でも対処できるように、割印のパターン数を飛躍的に向上させることができるようにするとともに、割印した文書と同じものを容易に再発行することができる電子割印システムおよび方法を提供することを目的とする。
【０００８】
【課題を解決するための手段】
上記の目的を達成するため、請求項１に係る発明は、電子割印データを自動生成して電子的な文書の所定位置に貼り付ける電子割印システムであって、元になる印影の画像データを記憶する手段と、印影の画像データに対し、所定のパラメタに基づいて角度回転処理を施す角度回転加工処理手段と、印影の画像データに対し、所定のパラメタに基づいて濃淡加工処理を施す濃淡加工処理手段と、印影の画像データに対し、所定のドット毎に、所定のパラメタに基づいて変色加工処理を施す変色加工処理手段と、印影の画像データに対し、所定のパラメタに基づいて第１の文書に貼り付ける部分と第２の文書に貼り付ける部分とに２分割する位置を決定する２分割処理手段と、前記角度回転処理、濃淡加工処理、および変色加工処理を施し、前記２分割処理で決定した位置で２分割することにより生成した印影の画像データを、それぞれ、第１の文書の所定位置と第２の文書の所定位置に貼り付ける手段とを備えることを特徴とする。
【０００９】
請求項２に係る発明は、請求項１に記載の電子割印システムにおいて、前記変色加工処理手段は、乱数に基づいて決定したランダムな位置のドットに対して、乱数に基づいて決定した変更値を用いて、当該ドットのＲＧＢ成分のうちの少なくとも１つの成分の濃度を変更するものであることを特徴とする。
【００１０】
請求項３に係る発明は、請求項１または２に記載の電子割印システムにおいて、前記角度回転処理、濃淡加工処理、変色加工処理、および２分割処理のそれぞれの処理で使用するパラメタのうちの少なくとも１つは、所定範囲内で発生させた乱数値を用いることを特徴とする。
【００１１】
請求項４に係る発明は、請求項１から３の何れか１つに記載の電子割印システムにおいて、割印として使用した印影の画像データを生成するのに使用した前記パラメタを記憶する記憶手段と、新たに印影の画像データを生成するとき、前記記憶手段に記憶してあるパラメタと今回の生成に使用するパラメタとを比較し、既に同じパラメタで印影の画像データを生成しているか否かをチェックする突合手段とをさらに備えることを特徴とする。
【００１２】
請求項５に係る発明は、請求項１から３の何れか１つに記載の電子割印システムにおいて、割印として使用した印影の画像データを生成するのに使用した前記パラメタを記憶する記憶手段と、前記記憶手段に記憶してあるパラメタを用いて再度同じ印影の画像データを生成し、生成した画像データを用いて前記文書を再発行する手段とをさらに備えることを特徴とする。
【００１３】
請求項６に係る発明は、電子割印データを自動生成して電子的な文書の所定位置に貼り付ける処理を行なう電子割印プログラムであって、印影の画像データに対し、所定のパラメタに基づいて角度回転処理を施す角度回転加工処理ステップと、印影の画像データに対し、所定のパラメタに基づいて濃淡加工処理を施す濃淡加工処理ステップと、印影の画像データに対し、所定のドット毎に、所定のパラメタに基づいて変色加工処理を施す変色加工処理ステップと、印影の画像データに対し、所定のパラメタに基づいて第１の文書に貼り付ける部分と第２の文書に貼り付ける部分とに２分割する位置を決定する２分割処理ステップと、前記角度回転処理、濃淡加工処理、および変色加工処理を施し、前記２分割処理で決定した位置で２分割することにより生成した印影の画像データを、それぞれ、第１の文書の所定位置と第２の文書の所定位置に貼り付けるステップとを備えることを特徴とする。
【００１４】
【発明の実施の形態】
以下、図面を用いて本発明の実施の形態を説明する。
【００１５】
図１は、元々の印影イメージを示す。すなわち、１０１は、割印の元データになる印影の画像（イメージ）データである。ここでは、中心位置を原点とするＸＹ座標系で、（ｘ，ｙ）＝（−７０，−７０）〜（７０，７０）の範囲のビットマップデータとする。
【００１６】
図２は、発行する書類に割印を押印する様子を示す図である。ここでは、管理元が各個人に証書２０２を発行する例で説明する。管理元は、発行台帳２０１を管理する。発行台帳２０１の所定の欄に、証書２０２の所定位置と重ねて割印を押印する。通常、この作業は人手で行なっていた。本システムでは、発行台帳２０１と証書２０２はそれぞれ電子文書とし、人手で行なう割印と同様に、所定の位置に割印の画像データ２０３を貼り付ける。発行台帳２０１と証書２０２はそれぞれ印刷し、印刷したものは、割印部分を合わせることにより目視確認できる。
【００１７】
本実施の形態のシステムでは、電子的な割印を行なう際、図１に示した画像データ１０１に対して種々の効果を与えて２分割し、分割したそれぞれの画像データを発行台帳２０１と証書２０２のそれぞれの所定位置に貼り付ける。割印の画像データ１０１に対して与える印影効果としては、角度回転効果、濃淡処理効果、ドット毎の変色処理効果、および２分割効果がある。画像データ１０１にこれらの効果を付することにより、非常に多くのパターン（それぞれが一意性を持つ）の画像データが得られる。さらに、これらの印影効果を付して作成した割印の画像データを使って証書２０２を発行したときは、それを管理元の何らかの記憶手段に記憶しておき、次回の新たな印影作成時に同じ画像データを使わないようにチェックしている。これにより、割印は完全に一意性を維持することができる。また、発行した文書とその文書に使用した割印の印影を作成するのに使用したパラメタとを対応させて記憶しておき、その文書を再発行するとき、以前に使用した割印と同じ割印で容易に再発行を行なうことができる。
【００１８】
次に、上述した各種の印影効果について具体的に説明する。印影効果には、角度回転（図３参照）、濃淡処理（図４参照）、ドット毎の変色処理（図５参照）、および２分割イメージ（図６参照）がある。
【００１９】
図３は、印影の画像データに角度回転効果を与える例を示す。３０１は、図１の印影の画像データ１０１と同じ画像データであり、ここではＸＹ座標系も同時に図示した。この画像データ３０１に対し、傾き角度を乱数で発生させ、所定の配列変数に格納されている当該画像の各ドット値を、三角関数を用いて新座標にポイント移動し、印影に傾きをつける。３０２は傾きを付けた画像の例を示す。傾きをつける角度は、後述するパラメタメモリ（図８）で指定した範囲（例えば、−４５度〜４５度まで）とし、必要以上に傾かないように制御する。すなわち、上下逆向きに押した感じにならないようにする。
【００２０】
角度回転効果について具体例で説明する。回転前の印影の画像データは、（ｘ，ｙ）＝（−７０，−７０）〜（７０，７０）の範囲の印影である。回転マス（すなわち、回転後の画像を格納する配列変数）は、回転により画像の有意な部分がはみ出さないように、更に大きく取ることとする。例えば、座標（６０，３０）のドットに−３０度（左回り３０度）の傾きを与えると、（６０×ｃｏｓ（３０度）−３０×ｓｉｎ（３０度），６０×ｓｉｎ（３０度）＋３０×ｃｏｓ（３０度））＝（３７，５６）が新たな座標となる。同様にして、元の画像の全ドットについて新たな座標を求め、回転後の画像データ３０２を得る。また、この場合、印影ファクターとして、後述するデータメモリ（図９）に回転角度「−３０」を保存することとなる。
【００２１】
図４は、印影の画像データに濃淡処理効果を与える例を示す。４０１は、図１の印影の画像データ１０１と同じ画像データである。画像データ４０１において、背景部分（白ヌキ部分）はＲＧＢの濃度は何れも０で、印影部分（黒い部分）はＲＧＢ各成分の濃度が所定値に決まっているとする。この画像データ４０１に対し、濃度の割合を乱数で発生させ、所定の配列変数に格納されている当該画像データの各ドット値のＲＧＢの各要素濃度に、その乱数値（割合）を乗算し、新たな濃度値を得る。角度回転効果と同様に、発生する乱数は、後述するパラメタメモリ（図８）で指定した範囲（例えば、４０％〜１００％等）とし、必要以上に薄くならないよう制御する。
【００２２】
例えば、印影部分の濃度がＲＧＢ＝（２００，５０，５０）である場合、その７０％の濃度になるようにすると、（（２５５−（２５５−２００）×０．７），２５５−（２５５−５０）×０．７），２５５−（２５５−５０）×０．７））＝（２１７，１１６，１１６）が新たな濃度の値となる。また、この場合、印影ファクターとして、後述するデータメモリ（図９）に濃度「７０（％）」を保存することとなる。
【００２３】
図５は、印影の画像データにドット毎の変色処理効果を与える例を示す。この効果は、上記の濃淡処理効果と異なり、一定割合でＲＧＢを操作するのではなく、特定（例えば、Ｒだけ、あるいはＲとＧだけ等）の要素だけを操作し、単純な濃淡ではなく、色を変化させることにより、よりユニーク性に富んだシステムにするためのものである。また、図４とのもう１つの違いは、ドット毎に乱数を掛け合せているところである。５０１は、ドット毎の変色処理効果を施した画像データの例を示す。これは、ドット毎にＲの濃度に０〜５０％の範囲の乱数を掛けて得たものである。どのドットに変色処理を施すかについても、ランダムに決定する。すなわち、まずパラメタメモリ（図８）に記憶されている範囲内で乱数を発生させ、その数を変色処理を行なうドットの数とする。さらに、そのドット数分だけ、乱数を用いてランダムにドット位置を決定し、変色処理を行なうドットとする。
【００２４】
本仕組みは、カラープリンタを用いたときに効果が出る。本効果の場合も、パラメタメモリ（図８）に設定している範囲内で乱数を発生させることにより、原色性を保つことができる。例えば、赤の印影が青くなることのないように制御するとよい。また、この場合、印影ファクターとして、データメモリ（図９）に、どの位置のドットのどの成分をどれだけ変更したかを保存することとなる。
【００２５】
図６は、印影の画像データに２分割効果を与える例を示す。この効果は、縦横の押印位置を乱数で発生させ、配列変数に格納した各ドット値を上下左右にずらして印刷するためのものである。ここでずらす程度は、パラメタメモリ（図８）で指定した範囲（例えば、縦−１０ドット〜１０ドット、横−１５ドット〜１５ドット等）とし、必要以上に位置がずれないよう制御する。例えば、（ｘ，ｙ）＝（−７０，−７０）〜（７０，７０）の範囲の印影とした場合、縦１０・横−１５のファクターを加えると、描画ウィンドウは（−６０，−８５）〜（８０，５５）となる。また、この場合、印影ファクターとして、データメモリ（図９）に、縦移動「１０」、横移動「−１５」を保存することとなる。
【００２６】
上述の図３〜図６で記述した各変更要素を組み合わせて元の画像データ１０１から新たな印影のパターンを得る。使用した各変更要素（印影ファクター）は、データメモリ（図９）に格納し、次回の新たな印影作成時にチェック用情報として利用する。これにより、生成した印影は完全に一意性を維持することができる。
【００２７】
以上説明した印影効果を付与することにより、数多くの印影パターンを得ることができる。どの程度の数の印影パターンを得られるかについての実例を説明する。例えば、上述の角度回転効果、濃淡処理効果、ドット毎の変色処理効果、および２分割効果について、次の▲１▼〜▲４▼に示すような範囲で印影効果を付与するものとする。
【００２８】
▲１▼角度回転効果としては、１度の分解能で左３０度から右３０度の６０度の範囲でイメージを傾ける。理論上３６０度可能だが、傾けすぎると押印として不自然であるため６０度に抑える。これにより割印イメージの傾きで６０通りの区別ができる。
【００２９】
▲２▼濃淡処理効果で１０段階の濃淡を付ける。これにより、濃淡で１０通りの区別ができる。
【００３０】
▲３▼ドット毎の変色処理効果として、１５０（ドット）×１５０（ドット）の各ドットのそれぞれについて１００段階の変色を付ける。これにより、１５０×１５０×１００通りの区別ができる。なお、理論上、２５６段階の濃淡が可能である。ただし、白に近いものは判別不能であるため、１００段階程度が実質的な段階である。
【００３１】
▲４▼２分割効果として、縦方向に５０段階、横方向に５０段階ずらして分割するようにする。これにより、５０×５０通りの区別ができる。なお、理論上は、ドット数分だけ移動が可能である。ただし、あまりにも偏ると、割印の性質を失うためそれぞれ５０段階としている。
【００３２】
以上の▲１▼〜▲４▼のそれぞれの印影効果を組み合わせることにより、６０×１０×１５０×１５０×１００×５０×５０＝３，３７５，０００，０００，０００通りだけ可能なパターンがある。これは、従来技術の欄で説明した東京都の教員免許の発行件数を大幅に上回る数である。（パターン数はサンプル数値であり、白抜き部分は変換対象としないため、実際には、１／３程度のパターン数となる）
【００３３】
図７は、本実施形態のシステムのブロック構成を示す。本システムは、中央処理装置（ＣＰＵ）７０１、パラメタメモリ７０２、パラメタファイル７０３、割印加工処理部（角度回転）７０４、割印加工処理部（濃淡加工）７０５、割印加工処理部（変色加工）７０６、割印加工処理部（２分割）７０７、突合処理部７０８、データメモリ７０９、変数情報７１０、文書情報格納部７１１、文書情報ファイル７１２、文書情報結合処理部７１３、印刷制御処理部７１４、印刷用プリンタ７１５、通信制御処理部７１６、通信制御装置７１７、および印影情報ファイル７１８を備えている。
【００３４】
本システムは、汎用のコンピュータに所定のソフトウェアを組み込むことにより実現できる。割印加工処理部７０４〜７０７は、図３〜図６で説明した印影効果をそれぞれ与える処理部である。これらの処理部で画像データを加工処理する際、使用する乱数を発生させる範囲をパラメタファイル７０３中のパラメタメモリ７０２に格納する。割印加工の際に使用した乱数値は変数情報７１０としてデータメモリ７０９に格納する。突合処理部７０８は、新たに印影パターンを作成するとき、データメモリ７０９内を参照して既に同じ乱数値で印影パターンが使われていないかをチェックする。文書情報格納部７１１は、発行台帳２０１や証書２０２などの文書情報を格納する。これらの文書情報はハードディスク７１２に格納されたものを呼び出して使用する。文書情報結合処理部７１３は、取得した割印の画像データを２分割し、それぞれを発行台帳の所定の欄と証書２０２の所定の位置に貼り付ける処理を行なう。印刷制御処理部７１４は、印刷用プリンタ７１５により割印した発行台帳２０１や証書２０２の印刷を行なう。通信制御処理部７１６は、通信制御装置７１７を介して外部のコンピュータなどの各種機器と接続する。印影情報７１８は画像処理する元のデータである
【００３５】
図８は、パラメタメモリ７０２に格納する情報８０１を示す。▲１▼の傾き角度範囲は、図３で説明した角度回転効果の傾き角度の範囲である。▲２▼の濃度変更割合の範囲は、図４で説明した濃淡処理効果の濃度の割合の範囲である。▲３▼の変色処理するドット数の範囲は、図５で説明したドット毎の変色処理効果を施すドット数の範囲である。▲４▼の乱数で生成したドットを変更するＲＧＢ区分は、図５で説明した変色処理効果を施す際に、どの色成分に対して変更を施すかを示す。▲５▼の上記ＲＧＢ区分に対する変更値範囲は、図５で説明した変色処理効果を施す上での各ＲＧＢ区分に対する変更値の範囲である。▲６▼の図形移動範囲は、図６で説明した２分割を行なう際の移動範囲を示す。これら▲１▼〜▲６▼の情報は、予め設定しておく。
【００３６】
図９は、図７のデータメモリ７０９に格納する情報９０１を示す。割印基本情報９０２は、図１で説明した割印の元画像データ１０１である。割印変換情報９０３は、証書の発行時に使用した割印に関する各種の情報である。業務キー９１１は、レコードを特定するキーであり、これによりどの証書にどの割印を使用したかの対応付けをしている。割印キー９１２は、業務キー９１１と１対１対応で格納される情報（印影ファクター）である。割印キー９１２は、生成した割印の画像データを復元させるための情報であり、一意性のチェック突合時にも利用する。
【００３７】
割印キー９１２の各種情報について説明する。変換処理済み角度９２１は、図３で説明した傾き角度である。変換処理済み濃度割合９２２は、図４で説明した濃度の割合である。変換処理済みドット情報９２３は、図５で説明したドット毎の変色処理効果の情報であり、変色処理を施すドット数分格納される。位置情報９３１は、変色処理を施したドットの位置情報である。Ｒ変更値９３２は、その位置のドットのＲ成分に対する濃度の変更値である。Ｇ変更値９３３およびＢ変更値９３４も同様である。画像移動情報９２４は、図６で説明した２分割を行なう際の移動量を示す。Ｘ方向移動９４１は、Ｘ方向への移動量を示す。Ｙ方向移動９４２は、Ｙ方向への移動量を示す。
【００３８】
図１０は、本システムによる証書２０２の作成の手順を示す。ステップ１００１で、パラメタメモリ７０２からパラメタデータ（図８の情報８０１）を読み込む。ステップ１００２，１００３は、割印加工処理部（角度回転）７０４による処理である。ステップ１００２では、図８のパラメタデータのうち、▲１▼変更角度範囲の範囲内で角度乱数を生成する。ステップ１００３では、生成した角度乱数を用いて、図３で説明した印影の画像データに対する角度回転の画像処理を行なう。次にステップ１００４，１００５で、割印加工処理部（濃淡加工）７０５による処理を行なう。ステップ１００４では、図８のパラメタデータのうち、▲２▼変更濃度範囲の範囲内で濃度乱数を生成する。ステップ１００５では、生成した濃度乱数を用いて、図４で説明した印影の画像データに対する濃淡加工の画像処理を行なう。
【００３９】
次に、ステップ１００６〜１０１０で、割印加工処理部（変色加工）７０６による処理を行なう。ステップ１００６では、色変更するドット数（乱数）の生成を行なう。その数は、図８のパラメタデータのうちの▲３▼の範囲内とする。ここで生成したドット数分だけ、ステップ１００７〜１０１０の処理を繰り返す。まずステップ１００７で、色変更を施すドットの位置を乱数を用いて任意に決定し、当該ドットのＲ（ＲＥＤ）成分に対しての変更値を生成する。ステップ１００８で当該ドットのＧ（ＧＲＥＥＮ）に対しての変更値を生成し、ステップ１００９で当該ドットのＢ（ＢＬＵＥ）に対しての変更値を生成する。これらの変更値は、図８のパラメタデータのうちの▲４▼と▲５▼の範囲内とする。ステップ１０１０で、生成したＲＧＢ各変更値に応じて、当該ドットに対する色変更の画像処理を行なう。
【００４０】
次に、ステップ１０１１〜１０１３で、割印加工処理部（２分割）７０７による処理を行なう。ステップ１０１１では、Ｘ方向への移動変更値を生成する。ステップ１０１２では、Ｙ方向への移動変更値を生成する。これらの移動変更値は、図８のパラメタデータのうちの▲６▼の範囲内とする。ステップ１０１３で、生成したＸ方向およびＹ方向への移動変更値に応じて画像の移動を行ない、最終的な割印の画像データを生成する。
【００４１】
次に、ステップ１０１４で、突合処理部７０８により、同じ割印を過去に発行していないかどうかのチェックを行なう。このチェックは、ステップ１００２〜１０１３の処理で乱数を発生させて決定した各パラメタ（印影ファクター）が既に図９のデータメモリ中に存在するか否か検索することにより行なう。生成した割印の画像データが過去に使用されていないものであれば、ステップ１０１５からステップ１０１６に進む。過去に同じものが使われていた場合は、ステップ１００２に戻って、別の割印データを作成する処理に戻る。
【００４２】
ステップ１０１６では、各割印加工処理部で生成した各パラメタを図９のデータメモリ７０９に格納する。ステップ１０１７では、文書情報（発行台帳２０１と証書２０２）を読み込む。ステップ１０１８で、それらの文書情報に、生成した割印の画像データを貼り付け結合する。すなわち、生成した割印の画像データを２分割し（ＸＹ座標系のｙ軸で分ければよい）、それぞれの画像データを、発行台帳２０１と証書２０２の所定の位置に貼り付ける。ステップ１０１９で、それらの文書の印刷処理を行なう。
【００４３】
図１１は、証書２０２を再発行する際の処理を示す。前提として、再発行する証書２０２に応じた業務キー（図９の９１１）が分かっているものとする。ステップ１１０１で、データメモリ７０９から、再発行する業務キー９１１に対応する生成済みの各パラメタ（割印キー９１２）を読み込む。ステップ１１０２で、読み込んだ各パラメタにより、割印画像処理（ステップ１００１〜１０１３と同じ）を行ない、割印画像データを復元する。ステップ１１０３で、文書情報を読み込む。ステップ１１０４で、文書情報に割印情報を貼り付け結合する。ステップ１１０５で、印刷処理を行なう。
【００４４】
なお、上記実施の形態では、図６で説明したように、印影の画像データをｘ方向とｙ方向に移動しｙ軸で２分割したが、発行台帳に貼り付ける部分と証書に貼り付ける部分とに分割する位置を乱数で決定する方式であればよい。
【００４５】
【発明の効果】
本発明によれば、割印のパターン数を飛躍的に向上させることができ、あらゆる割印に対して適用可能となる。また紛失時の再発行も容易であり、業務改善に大きな効果をもたらす。
【図面の簡単な説明】
【図１】印影の元画像を示す図
【図２】印影の押印イメージを示す図
【図３】印影の角度回転処理を示す図
【図４】印影の濃度処理を示す図
【図５】印影のドット毎の変色処理を示す図
【図６】印影の２分割処理を示す図
【図７】実施形態のシステムの全体構成図
【図８】パラメタメモリに格納する情報を示す図
【図９】データメモリに格納する情報を示す図
【図１０】割印自動発行の処理手順（新規生成）を示すフローチャート図
【図１１】割印自動発行の処理手順（再発行）を示すフローチャート図
【符号の説明】
１０１…割印画像データ、２０１…発行台帳、２０２…証書、２０３…割印画像、７０１…ＣＰＵ、７０２…パラメタメモリ、７０４…割印加工処理部（角度回転）、７０５…割印加工処理部（濃淡加工）、７０６…割印加工処理部（変色加工）、７０７…割印加工処理部（２分割）、７０８…突合処理部、７０９…データメモリ。
【図１】
2004032138.tif 000003
【図２】
2004032138.tif 000004
【図３】
2004032138.tif 000005
【図４】
2004032138.tif 000006
【図５】
2004032138.tif 000007
【図６】
2004032138.tif 000008
【図７】
2004032138.tif 000009
【図８】
2004032138.tif 000010
【図９】
2004032138.tif 000011
【図１０】
2004032138.tif 000012
【図１１】
2004032138.tif 000013